【手続補正書】
【提出日】平成23年3月30日(2011.3.30)
【手続補正１】
【補正対象書類名】特許請求の範囲
【補正対象項目名】全文
【補正方法】変更
【補正の内容】
【特許請求の範囲】
【請求項１】
集積回路と、
それぞれ独立して制御されるように適合された関連する消費電力を有する前記集積回路の複数の電力の島と、
前記消費電力を制御する電力マネージャと
を有し、
前記電力の島のうち少なくとも１つは、a)前記電力の島のうち前記少なくとも１つが、可変閾値トランジスタの複数の閾値電圧のうち１つを選択させるように構成され、及びb)前記システムが、動作中に、前記電力の島のうち前記少なくとも１つで、動作周波数の変更又は供給電圧の変更を含む動作を実行するように構成されることにより、
前記電力マネージャに対して関連する消費電力を制御させるように適合されるシステム。
【請求項２】
請求項１に記載のシステムであって、
前記電力マネージャは、プログラム可能なプロセッサを有するシステム。
【請求項３】
請求項１に記載のシステムであって、
前記集積回路は、動作中に、前記動作周波数の変更と前記供給電圧の変更との双方を実行するように構成されるシステム。
【請求項４】
請求項１に記載のシステムであって、
前記システムは、前記供給電圧を外部レギュレータにより提供させるように構成されるシステム。
【請求項５】
請求項４に記載のシステムであって、
前記外部レギュレータは、前記電力マネージャにより制御されるように構成されるシステム。
【請求項６】
請求項１に記載のシステムであって、
前記供給電圧を提供する内部レギュレータを更に有するシステム。
【請求項７】
請求項６に記載のシステムであって、
前記内部レギュレータは、前記電力マネージャにより制御されるように構成されるシステム。
【請求項８】
請求項１に記載のシステムであって、
前記電力の島のうち前記少なくとも１つは、前記集積回路の動作中に前記複数の閾値電圧のうち１つを選択させるように構成されるシステム。
【請求項９】
請求項１に記載のシステムであって、
前記供給電圧を提供するドロップアウト電圧レギュレータを更に有するシステム。
【請求項１０】
請求項１に記載のシステムであって、
前記集積回路は、前記供給電圧を前記電力の島のうち前記少なくとも１つに対するVdd多重により制御させるように構成されるシステム。
【請求項１１】
請求項１に記載のシステムであって、
前記集積回路は、前記閾値電圧をバックバイアスにより選択させるように構成されるシステム。
【請求項１２】
請求項１に記載のシステムであって、
前記集積回路は、前記電力マネージャと、前記複数の電力の島とを有するシステム。
【請求項１３】
集積回路と、
それぞれ独立して制御されるように適合された関連する消費電力を有する前記集積回路の複数の電力の島と、
前記消費電力を制御する電力マネージャと、
内部レギュレータと
を有し、
前記システムは、供給電圧を前記内部レギュレータにより提供させるように構成され、
前記電力マネージャに対して前記システムで関連する消費電力を制御させるように適合された前記電力の島のうち少なくとも１つは、
前記電力の島のうち前記少なくとも１つへの供給電圧を変更させ、
前記電力の島のうち前記少なくとも１つの動作周波数を変更させるように構成されるシステム。
【請求項１４】
請求項１３に記載のシステムであって、
前記電力マネージャは、プログラム可能なプロセッサを有するシステム。
【請求項１５】
請求項１３に記載のシステムであって、
前記システムは、前記集積回路の動作中にクロックが停止することを可能にするように構成され、これにより、前記電力マネージャは、前記電力の島のうち前記少なくとも１つの関連する消費電力を制御可能にするシステム。
【請求項１６】
請求項１３に記載のシステムであって、
前記システムは、前記供給電圧を前記電力の島のうち前記少なくとも１つに対するVdd多重により制御させるように構成されるシステム。
【請求項１７】
請求項１３に記載のシステムであって、
前記システムは、クロックゲートによりクロックを停止させるように構成されるシステム。
【請求項１８】
請求項１３に記載のシステムであって、
前記集積回路は、前記電力マネージャと、前記複数の電力の島とを有するシステム。
【請求項１９】
それぞれ独立して制御される関連する消費電力を有する集積回路の複数の電力の島の消費電力を制御するために、集積回路内で電力マネージャを使用し、
a)可変閾値トランジスタの閾値電圧を選択し、及びb)動作中に、i)動作周波数及びii)供給電圧のうち少なくとも１つを変更することにより、前記電力の島のうち少なくとも１つの消費電力を制御することを有する方法。
【請求項２０】
請求項１９に記載の方法であって、
前記可変閾値トランジスタの閾値電圧は、前記集積回路の動作中に選択されるシステム。
【請求項２１】
請求項１９に記載の方法であって、
前記供給電圧が変更され、
前記供給電圧の変更は、前記集積回路に対して外部のソースから前記電力の島のうち前記少なくとも１つに提供される電圧を調整することを含む方法。
【請求項２２】
請求項１９に記載の方法であって、
前記供給電圧が変更され、
前記供給電圧の変更は、前記電力の島のうち前記少なくとも１つに対するVdd多重を含む方法。
【請求項２３】
請求項１９に記載の方法であって、
前記閾値電圧を選択することは、バックバイアスを含む方法。
【請求項２４】
集積回路と、
それぞれ独立して制御されるように適合された関連する消費電力を有する前記集積回路の複数の電力の島であり、前記電力の島のうち第１のものは、前記電力の島のうち第２のものと同期及び非同期で通信するように構成された複数の電力の島と、
前記消費電力を制御する電力マネージャと、
を有し、
前記電力マネージャに対して前記システムで関連する消費電力を制御させるように適合された前記電力の島のうち少なくとも１つは、
前記電力の島のうち前記少なくとも１つへの供給電圧を変更させ、
前記電力の島のうち前記少なくとも１つの動作周波数を変更させるように構成されるシステム。
【請求項２５】
請求項２４に記載のシステムであって、
前記電力マネージャは、プログラム可能なプロセッサを有するシステム。
【請求項２６】
請求項２４に記載のシステムであって、
前記システムは、前記集積回路の動作中にクロックが停止することを可能にするように構成され、これにより、前記電力マネージャは、前記電力の島のうち前記少なくとも１つの関連する消費電力を制御可能にするシステム。
【請求項２７】
請求項２４に記載のシステムであって、
前記供給電圧を提供するドロップアウト電圧レギュレータを更に有するシステム。
【請求項２８】
請求項２４に記載のシステムであって、
前記システムは、前記供給電圧を前記電力の島のうち前記少なくとも１つに対するVdd多重により制御させるように構成されるシステム。
【請求項２９】
請求項２４に記載のシステムであって、
前記システムは、クロックゲートによりクロックを停止させるように構成されるシステム。
【請求項３０】
請求項２４に記載のシステムであって、
前記システムは、前記供給電圧を外部レギュレータにより変更させるように構成されるシステム。
【請求項３１】
請求項３０に記載のシステムであって、
前記外部レギュレータは、前記電力マネージャにより制御されるように構成されるシステム。
【請求項３２】
請求項２４に記載のシステムであって、
前記供給電圧を変更する内部レギュレータを更に有するシステム。
【請求項３３】
請求項３２に記載のシステムであって、
前記内部レギュレータは、前記電力マネージャにより制御されるように構成されるシステム。
【請求項３４】
請求項２４に記載のシステムであって、
前記集積回路は、前記電力マネージャと、前記複数の電力の島とを有するシステム。
【請求項３５】
集積回路と、
前記集積回路の複数の電力の島と、
それぞれ独立して制御可能な前記電力の島の消費電力を制御する電力マネージャと
を有し、
前記電力の島のうち少なくとも１つは、a)前記電力の島のうち前記少なくとも１つが、可変閾値トランジスタの複数の閾値電圧のうち１つを選択し、及びb)前記システムが、動作中に、前記電力の島のうち前記少なくとも１つで、動作周波数の変更又は供給電圧の変更を含む動作を実行することにより、前記電力マネージャに対して前記電力の島のうち前記少なくとも１つの消費電力を制御可能であるシステム。
【請求項３６】
請求項３５に記載のシステムであって、
前記電力マネージャは、プログラム可能なプロセッサを有するシステム。
【請求項３７】
請求項３５に記載のシステムであって、
前記動作周波数の変更と前記供給電圧の変更とは、動作中に実行されるシステム。
【請求項３８】
請求項３５に記載のシステムであって、
前記システムは、前記供給電圧を外部レギュレータにより変更させることができるシステム。
【請求項３９】
請求項３８に記載のシステムであって、
前記外部レギュレータは、前記電力マネージャにより制御可能であるシステム。
【請求項４０】
請求項３５に記載のシステムであって、
前記供給電圧を提供する内部レギュレータを更に有するシステム。
【請求項４１】
請求項４０に記載のシステムであって、
前記内部レギュレータは、前記電力マネージャにより制御可能であるシステム。
【請求項４２】
請求項３５に記載のシステムであって、
前記電力の島のうち前記少なくとも１つは、前記システムの動作中に前記複数の閾値電圧のうち１つを選択するシステム。
【請求項４３】
請求項３５に記載のシステムであって、
前記供給電圧を提供するドロップアウト電圧レギュレータを更に有するシステム。
【請求項４４】
請求項３５に記載のシステムであって、
前記供給電圧は、Vdd多重により制御可能であるシステム。
【請求項４５】
請求項３５に記載のシステムであって、
前記閾値電圧は、バックバイアスにより選択可能であるシステム。
【請求項４６】
請求項３５に記載のシステムであって、
前記集積回路は、前記電力マネージャと、前記複数の電力の島とを有するシステム。
【請求項４７】
集積回路と、
前記集積回路の複数の電力の島であり、前記電力の島のうち第１のものは、前記電力の島のうち第２のものと同期及び非同期で通信可能である複数の電力の島と、
それぞれ独立して制御可能な前記電力の島の消費電力を制御する電力マネージャと
を有し、
前記電力の島のうち少なくとも１つの消費電力が前記電力マネージャにより制御可能であるために、前記システムは、
前記電力の島のうち前記少なくとも１つへの供給電圧を変更させ、
前記電力の島のうち前記少なくとも１つの動作周波数を変更させることができるシステム。
【請求項４８】
請求項４７に記載のシステムであって、
前記電力マネージャは、プログラム可能なプロセッサを有するシステム。
【請求項４９】
請求項４７に記載のシステムであって、
前記供給電圧を提供するドロップアウト電圧レギュレータを更に有するシステム。
【請求項５０】
請求項４７に記載のシステムであって、
前記供給電圧は、Vdd多重により制御可能であるシステム。
【請求項５１】
請求項４７に記載のシステムであって、
クロックは、クロックゲートにより停止可能であるシステム。
【請求項５２】
請求項４７に記載のシステムであって、
前記システムは、前記供給電圧を外部レギュレータにより変更させることができるシステム。
【請求項５３】
請求項５２に記載のシステムであって、
前記外部レギュレータは、前記電力マネージャにより制御可能であるシステム。
【請求項５４】
請求項４７に記載のシステムであって、
前記供給電圧の調整を実行する内部レギュレータを更に有するシステム。
【請求項５５】
請求項５４に記載のシステムであって、
前記内部レギュレータは、前記電力マネージャにより制御可能であるシステム。
【請求項５６】
請求項４７に記載のシステムであって、
前記集積回路は、前記電力マネージャと、前記複数の電力の島とを有するシステム。
【請求項５７】
集積回路チップと、
供給電圧及び動作周波数を変更することによりそれぞれ独立して制御可能な関連する消費電力を有する前記集積回路チップに配置された複数の電力の島と、
前記消費電力のうち１つ以上を示す１つ以上の消費電力信号と、
前記集積回路チップに配置され、前記電力の島のそれぞれに結合され、前記１つ以上の消費電力信号を監視するように構成された電力管理プロセッサと
を有し、
前記電力管理プロセッサは、前記消費電力のそれぞれを個別に制御するために電力管理ソフトウェアを実行するように設けられ、前記電力管理プロセッサは、消費電力変更要求に応じて前記電力の島のうち少なくとも１つの消費電力を変更するように構成される集積回路。
【請求項５８】
集積回路チップと、
供給電圧及び動作周波数を変更することによりそれぞれ独立して制御可能な関連する消費電力を有する前記集積回路チップに配置された複数の電力の島と、
前記消費電力のうち１つ以上を示す１つ以上の消費電力信号と、
前記集積回路チップに配置され、前記電力の島のそれぞれに結合され、前記１つ以上の消費電力信号を監視するように構成された電力マネージャと
を有し、
前記電力マネージャは、前記消費電力のそれぞれを個別に制御するように構成され、前記電力マネージャは、消費電力変更要求に応じて前記電力の島のうち少なくとも１つの消費電力を変更するように構成される集積回路。
【請求項５９】
集積回路チップと、
供給電圧及び動作周波数を変更することによりそれぞれ独立して制御可能な関連する消費電力を有する前記集積回路チップに配置された複数の電力の島であり、前記電力の島のそれぞれは、前記消費電力のそれぞれを示す消費電力信号を有する複数の電力の島と、
前記集積回路チップに配置され、前記電力の島のそれぞれに結合され、前記消費電力信号を監視するように構成された電力管理プロセッサと
を有し、
前記電力管理プロセッサは、前記消費電力のそれぞれを個別に制御するために電力管理ソフトウェアを実行するように設けられ、前記電力管理プロセッサは、消費電力変更要求に応じて前記電力の島のうち少なくとも１つの消費電力を変更するように構成される集積回路。
【請求項６０】
集積回路チップと、
供給電圧及び動作周波数を変更することによりそれぞれ独立して制御可能な関連する消費電力を有する前記集積回路チップに配置された複数の電力の島であり、前記電力の島のそれぞれは、前記消費電力のそれぞれを示す消費電力信号を有する複数の電力の島と、
前記集積回路チップに配置され、前記電力の島のそれぞれに結合され、前記消費電力信号を監視するように構成された電力マネージャと
を有し、
前記電力マネージャは、前記消費電力のそれぞれを個別に制御するように構成され、前記電力マネージャは、消費電力変更要求に応じて前記電力の島のうち少なくとも１つの消費電力を変更するように構成される集積回路。
【請求項６１】
集積回路と、
供給電圧及び動作周波数を変更することによりそれぞれ独立して制御可能な関連する消費電力を有する前記集積回路の複数の電力の島と、
前記消費電力のうち１つ以上を示す１つ以上の消費電力信号と、
前記電力の島のそれぞれに結合され、前記１つ以上の消費電力信号を監視するように構成された電力管理プロセッサと
を有し、
前記電力管理プロセッサは、前記消費電力のそれぞれを個別に制御するために電力管理ソフトウェアを実行するように設けられ、前記電力管理プロセッサは、消費電力変更要求に応じて前記電力の島のうち少なくとも１つの消費電力を変更するように構成されるシステム。
【請求項６２】
集積回路と、
供給電圧及び動作周波数を変更することによりそれぞれ独立して制御可能な関連する消費電力を有する前記集積回路の複数の電力の島と、
前記消費電力のうち１つ以上を示す１つ以上の消費電力信号と、
前記電力の島のそれぞれに結合され、前記１つ以上の消費電力信号を監視するように構成された電力マネージャと
を有し、
前記電力マネージャは、前記消費電力のそれぞれを個別に制御するように構成され、前記電力マネージャは、消費電力変更要求に応じて前記電力の島のうち少なくとも１つの消費電力を変更するように構成されるシステム。
【請求項６３】
集積回路と、
供給電圧及び動作周波数を変更することによりそれぞれ独立して制御可能な関連する消費電力を有する前記集積回路の複数の電力の島であり、前記電力の島のそれぞれは、前記消費電力のそれぞれを示す消費電力信号を有する複数の電力の島と、
前記電力の島のそれぞれに結合され、前記消費電力信号を監視するように構成された電力管理プロセッサと
を有し、
前記電力管理プロセッサは、前記消費電力のそれぞれを個別に制御するために電力管理ソフトウェアを実行するように設けられ、前記電力管理プロセッサは、消費電力変更要求に応じて前記電力の島のうち少なくとも１つの消費電力を変更するように構成されるシステム。
【請求項６４】
集積回路と、
供給電圧及び動作周波数を変更することによりそれぞれ独立して制御可能な関連する消費電力を有する前記集積回路の複数の電力の島であり、前記電力の島のそれぞれは、前記消費電力のそれぞれを示す消費電力信号を有する複数の電力の島と、
前記電力の島のそれぞれに結合され、前記消費電力信号を監視するように構成された電力マネージャと
を有し、
前記電力マネージャは、前記消費電力のそれぞれを個別に制御するように構成され、前記電力マネージャは、消費電力変更要求に応じて前記電力の島のうち少なくとも１つの消費電力を変更するように構成されるシステム。